(57)【要約】【課題】屋根に積もった雪の雪落としを容易にすることができる落雪屋根の構造を提供する。【解決手段】屋根面に、屋根傾斜方向に延びる複数本の凸条部４…が所定の間隔おきに並列状態に備えられ、各凸条部４…は、内部５が空洞で、外気８が通過するようになされて、空洞部５を通過する外気８の冷気が凸条部４を通じて、積もった雪に伝えられるようになされていると共に、凸条部４…間は非断熱で、積もった雪に小屋裏の熱９が伝えられるようになされている。小屋裏の熱９に代えてヒーターを用いるようにしてもよい。【選択図】      図１
2006083638.tif 000002
【特許請求の範囲】
【請求項１】
屋根面に、屋根傾斜方向に延びる複数本の凸条部が所定の間隔おきに並列状態に備えられ、
各凸条部は、内部が空洞で、外気が通過するようになされて、空洞部を通過する外気の冷気が凸条部を通じて、積もった雪に伝えられるようになされていると共に、
凸条部間は非断熱で、積もった雪に小屋裏の熱が伝えられるようになされていることを特徴とする落雪屋根の構造。
【請求項２】
屋根面に、屋根傾斜方向に延びる複数本の凸条部が所定の間隔おきに並列状態に備えられ、
各凸条部は、内部が空洞で、外気が通過するようになされて、空洞部を通過する外気の冷気が凸条部を通じて、積もった雪に伝えられるようになされていると共に、
凸条部間は、熱源が備えられて、積もった雪の下面部に熱源の熱が伝えられるようになされていることを特徴とする落雪屋根の構造。
【請求項３】
屋根面に、屋根傾斜方向に延びる複数本の凸条部が所定の間隔おきに並列状態に備えられると共に、凸条部間に積もった雪の下面部に熱を伝えるヒーターが備えられていることを特徴とする落雪屋根の構造。
【発明の詳細な説明】
【技術分野】
【０００１】
本発明は、落雪屋根の構造に関する。
【背景技術】
【０００２】
北海道などの寒冷な積雪地域では、屋根に積もった雪の雪落としに大変な苦労をし、春の雪融けを待たなければならないことも多い。
【発明の開示】
【発明が解決しようとする課題】
【０００３】
本発明は、上記のような問題点に鑑み、屋根に積もった雪の雪落としを容易にすることができる落雪屋根の構造を提供することを課題とする。
【課題を解決するための手段】
【０００４】
上記の課題は、屋根面に、屋根傾斜方向に延びる複数本の凸条部が所定の間隔おきに並列状態に備えられ、
各凸条部は、内部が空洞で、外気が通過するようになされて、空洞部を通過する外気の冷気が凸条部を通じて、積もった雪に伝えられるようになされていると共に、
凸条部間は非断熱で、積もった雪に小屋裏の熱が伝えられるようになされていることを特徴とする落雪屋根の構造によって解決される（第１発明）。
【０００５】
この構造では、屋根に雪が積もると、各凸条部の部分では、空洞部を通過する外気の冷気が雪に伝えられて、雪は融けず、あるいは、融けにくく、雪が接触を保つ。その一方で、凸条部間では、小屋裏の熱が雪に伝えられて、雪は下面側から融けていき、そのため、屋根に、凸条部間にわたす雪のブリッジが形成され、積もった雪と屋根との接触面積が小さくなって、積もった雪は、屋根の傾斜で自ら滑り落ちていくか、あるいは、自ら滑り落ちない場合であっても容易に滑り落とすことができるようになる。もちろん、各凸条部は、屋根の傾斜方向に延ばされているので、雪の滑り落ちを妨げることもないし、また、落雪のための屋根の傾斜も緩くすることができる。
【０００６】
また、上記の課題は、屋根面に、屋根傾斜方向に延びる複数本の凸条部が所定の間隔おきに並列状態に備えられ、
各凸条部は、内部が空洞で、外気が通過するようになされて、空洞部を通過する外気の冷気が凸条部を通じて、積もった雪に伝えられるようになされていると共に、
凸条部間は、熱源が備えられて、積もった雪の下面部に熱源の熱が伝えられるようになされていることを特徴とする落雪屋根の構造によって解決される（第２発明）。
【０００７】
この構造では、屋根に雪が積もると、各凸条部の部分では、空洞部を通過する外気の冷気が雪に伝えられて、雪は融けず、あるいは、融けにくく、雪が接触を保つ。その一方で、凸条部間では、熱源の熱が雪に伝えられて、雪は下面側から融けていき、そのため、屋根に、凸条部間にわたす雪のブリッジが形成され、積もった雪と屋根との接触面積が小さくなって、積もった雪は、屋根の傾斜で自ら滑り落ちていくか、あるいは、自ら滑り落ちない場合であっても容易に滑り落とすことができるようになる。
【０００８】
即ち、第２発明は、第１発明のように小屋裏の熱を熱源とする場合を含むほか、電気や温水、ヒートパイプ等によるヒーターを設置し、該ヒーターの熱が、凸条部間において、積もった雪の下面部に伝えられるようになされている構造などをも含むものである。
【０００９】
また、上記の課題は、屋根面に、屋根傾斜方向に延びる複数本の凸条部が所定の間隔おきに並列状態に備えられると共に、凸条部間に積もった雪の下面部に熱を伝えるヒーターが備えられていることを特徴とする落雪屋根の構造（第３発明）によって解決される。
【００１０】
この構造では、凸条部間では、ヒーターの熱が雪に伝えられて、雪は下面側から融けていき、そのため、屋根に、凸条部間にわたす雪のブリッジが形成され、積もった雪と屋根との接触面積が小さくなって、積もった雪は、屋根の傾斜で自ら滑り落ちていくか、あるいは、自ら滑り落ちない場合であっても容易に滑り落とすことができるようになる。
【００１１】
即ち、凸条部内に外気を通さなくても、雪のブリッジを形成することができるような場合は、凸条部内に外気を通すか否か、凸条部を空洞にするか否かは問わない。
【発明の効果】
【００１２】
本発明は、以上のとおりのものであるから、屋根に積もった雪の雪落としを容易にすることができる。
【発明を実施するための最良の形態】
【００１３】
次に、本発明の実施最良形態を図面に基づいて説明する。
【００１４】
図１に示す実施形態の落雪屋根において、１は野地板、２は防水層、３は屋根葺材である。
【００１５】
屋根葺き材３は、金属板からなっていて、屋根面には、屋根傾斜方向に延びる複数本の凸条部４…が所定の間隔おきに並列状態に形成されている。
【００１６】
そして、各凸条部４は、内部が葺き材３の金属板部で囲まれた空洞に形成され、該空洞部５を外気が通過するようになされており、空洞部５を通過する外気の冷気が凸条部４を囲む金属の周壁を通じて、積もった雪に伝えられるようになされている。なお、空洞部５での外気の通過は、軒側から棟側への上昇気流を利用して自然通気で行われるようになされていてもよいし、それだけでは不足の場合は、外気をファンで通過させるようにしてもよい。
【００１７】
また、野地板１は合板などからなっていて、その下は小屋裏６に面した非断熱屋根構造になっていて、小屋裏６の熱９が、凸条部４…間の溝部の底面を構成する屋根葺き材３の金属板部分を通じて、積もった雪に伝えられるようになされている。
【００１８】
上記の屋根構造では、図２及び図３に示すように、屋根に雪７が積もると、各凸条部４…の部分では、空洞部５…を通過する外気８の冷気が雪７に伝えられて、雪は融けず、あるいは、融けにくく、雪７が接触状態を保つ。その一方で、凸条部４…間では、小屋裏６の熱９が雪７に伝えられて、雪７は下面側から融けていき、そのため、図３に示すように、屋根に、凸条部４…間にわたす雪７のブリッジが形成され、積もった雪７と屋根面との接触面積が小さくなる。それにより、雪７は、屋根の傾斜で自ら滑り落ちていく。あるいは、傾斜で自ら滑り落ちない場合であっても、雪落とし作業によって容易に滑り落とすことができる。各凸条部４…は、屋根の傾斜方向に延ばされているので、雪７の滑り落ちを妨げることはないし、こうした落雪機構の採用により、傾斜の緩い屋根でも容易に落雪させることができるようになる。
【００１９】
図４に示す第２実施形態の構造は、凸条部４…間の屋根部分に熱源としてヒーター１０が設置され、ヒーター１０の熱が、凸条部４…間で、雪７の下面側に伝えられるようになされている。屋根は、小屋裏６の熱が屋根上に伝えられる非断熱の屋根であってもよいし、小屋裏の熱が屋根上に伝えられない断熱屋根であってもよい。この場合も、ヒーター１０の熱で、凸条部４…間にわたす雪のブリッジを形成することができ、積もった雪と屋根面との接触面積を小さくして落雪しやすくすることができる。なお、本実施形態において、凸条部４に外気を通過させなくても、凸条部４…間にわたす雪７のブリッジを形成することができる場合は、凸条部４…内の空洞部５…は外気が通過できないようになっていてもよいし、凸条部４…を空洞無しの構造にしてもよい。
【００２０】
以上に、本発明の実施形態を示したが、本発明はこれに限られるものではなく、発明思想を逸脱しない範囲で各種の変更が可能である。例えば、上記の実施形態では、凸条部４…を屋根葺き材３で形成した場合を示しているが、屋根葺き材とは別に、複数本の金属製パイプ材を屋根上において屋根傾斜方向に延びるように所定の間隔おきに並列状態に設置し、該金属製パイプを凸条部として、内部を外気が通過するように構成してもよい。また、第１発明では、凸条部間は、非断熱で、積もった雪に小屋裏の熱を伝えることができるような構造になっていればよく、その具体的構造に制限はない。更に、第２発明において熱源がヒーターである場合のヒーター、また、第３発明におけるヒーターについては、その種類や設置位置等に制限はなく、凸条部間で、積もった雪の下面部に熱を伝えることができるように備えられたものであればよい。
【図面の簡単な説明】
【００２１】
【図１】第１実施形態の落雪屋根構造を示すもので、図（イ）は断面正面図、図（ロ）は断面斜視図である。
【図２】図（イ）は屋根に雪が積もった状態の断面正面図、図（ロ）は同斜視図である。
【図３】図（イ）は雪のブリッジが形成された状態の断面正面図、図（ロ）は同斜視図である。
【図４】第２実施形態の落雪屋根構造を示すもので、図（イ）は断面正面図、図（ロ）は断面斜視図である。
【符号の説明】
【００２２】
４…凸条部
５…空洞部
６…小屋裏
７…雪
８…外気
９…小屋裏の熱（熱源）
１０…ヒーター（熱源）
【図１】
2006083638.tif 000003
【図２】
2006083638.tif 000004
【図３】
2006083638.tif 000005
【図４】
2006083638.tif 000006